(57)【要約】      （修正有）【課題】多重化して放送された複数のＣＭの中から視聴者が所望とするＣＭのみを選択的に表示するような場合であっても、各ＣＭ毎に適切な広告料を設定することが可能な広告放送受信システムを提供する。【解決手段】多重化して放送された複数の広告データ片各々の内の１の広告データ片に基づく画像を選択的に表示すると共に、上記１の広告データ片に基づく画像表示が終了する度に当該１の広告視聴データを生成しこれを送信する放送受信装置と、かかる広告視聴データに応じて、当該広告データ片に対応した視聴総数を１だけ増加させ、広告データ片毎に視聴総数を表す広告視聴数集計データを生成すると共に、広告視聴数集計データ要求に応じて、この広告視聴数集計データを送信する広告視聴数集計装置と、を含む。かかる構成により、各広告毎に、実際の視聴数に追従させた適切な広告料を設定することが可能となる。【選択図】図６
2009231873.tif 000002
【特許請求の範囲】
【請求項１】
複数の広告に夫々対応した広告データ片の各々を多重化して放送する放送局からの放送波を受信して前記広告データ片各々の内の１の広告データ片に基づく画像を選択的に表示する放送受信装置を含む広告放送受信システムであって、
前記放送受信装置は、前記１の広告データ片に基づく画像表示が終了する度に当該１の広告データ片を示す広告識別コードを含む広告視聴データを生成しこれを送信する手段を含み、
前記広告視聴データを受信してこれに応じて、当該広告視聴データ中の前記広告識別コードによって表される広告データ片に対応した視聴総数を１だけ増加することにより前記広告データ片各々毎に前記視聴総数を表す広告視聴数集計データを生成すると共に、広告視聴数集計データ要求に応じて、前記広告視聴数集計データを送信する広告視聴数集計装置を更に備えていることを特徴とする広告放送受信システム。
【請求項２】
前記広告視聴データは、前記１の広告データ片に基づく画像の表示期間を表す表示期間データを含むことを特徴とする請求項１記載の広告放送受信システム。
【請求項３】
前記広告視聴数集計データは、前記広告データ片各々毎の前記視聴総数と共に前記広告データ片各々毎の延べ表示期間を表し、
前記広告視聴数集計装置は、前記広告視聴データ中の前記広告識別コードによって表される広告データ片に対応した前記表示期間データによって示される表示期間の分だけ、この広告データ片に対応した前記延べ表示期間を増加せしめることを特徴とする請求項２記載の広告放送受信システム。
【請求項４】
前記広告視聴数集計装置は、インターネット網を介して前記広告視聴数集計データを送信することを特徴とする請求項１記載の広告放送受信システム。
【請求項５】
複数の広告に夫々対応した広告データ片の各々を多重化して伝送するコンテンツ配信装置からの送信信号を受信して前記広告データ片各々の内の１の広告データ片に基づく画像を選択的に表示するコンテンツ受信装置を含む広告受信システムであって、
前記広告受信システムは、前記１の広告データ片に基づく画像表示が終了する度に当該１の広告データ片を示す広告識別コードを含む広告視聴データを生成しこれを送信する手段を含み、
前記広告視聴データを受信してこれに応じて、当該広告視聴データ中の前記広告識別コードによって表される広告データ片に対応した視聴総数を１だけ増加することにより前記広告データ片各々毎に前記視聴総数を表す広告視聴数集計データを生成すると共に、広告視聴数集計データ要求に応じて、前記広告視聴数集計データを送信する広告視聴数集計装置を更に備えていることを特徴とする広告受信システム。
【請求項６】
前記広告視聴データは、前記１の広告データ片に基づく画像の表示期間を表す表示期間データを含むことを特徴とする請求項５記載の広告受信システム。
【請求項７】
前記広告視聴数集計データは、前記広告データ片各々毎の前記視聴総数と共に前記広告データ片各々毎の延べ表示期間を表し、
前記広告視聴数集計装置は、前記広告視聴データ中の前記広告識別コードによって表される広告データ片に対応した前記表示期間データによって示される表示期間の分だけ、この広告データ片に対応した前記延べ表示期間を増加せしめることを特徴とする請求項６記載の広告受信システム。
【請求項８】
前記広告視聴数集計装置は、インターネット網を介して前記広告視聴数集計データを送信することを特徴とする請求項５記載の広告受信システム。
【発明の詳細な説明】
【技術分野】
【０００１】
本発明は、マルチチャンネルにて放送される広告情報の放送受信システム及び広告受信システムに関する。
【背景技術】
【０００２】
現在、衛星又は地上波テレビジョン放送では、番組の途中、或いは番組の前後間に、商品或いは各種サービスを宣伝する為の広告、いわゆるコマーシャル（以下、単にＣＭと称する）を挿入して放送している。このような放送方法によれば、広告主は全視聴者に対してそのＣＭを半ば強制的に見せることが可能であり、広告主にとっては高い宣伝効果が見込めるというメリットを有している。しかしながら、番組途中に放送されたＣＭが視聴者にとっては全く興味の無いジャンルに属するものであることも有り、このような場合にはかえって不快な感覚を与える場合があった。
【０００３】
そこで、かかる問題を改善すべく、マルチチャンネル放送を利用して各種ジャンルからなる複数のＣＭを多重化して放送し、受信側では、これらＣＭの内から、視聴者が予め指定した嗜好や特性に合致したものだけを選択的に表示させるようにしたＣＭ放送受信方法が提案された（例えば、特許文献１参照）。
【０００４】
ところが、このようなＣＭ放送受信方法によると、広告主は、視聴者側において実際に表示が為されなかったＣＭに対しても広告料を放送局に支払わなければならないという問題が生じた。
【特許文献１】特開２００２−８４４７０号公報
【発明の開示】
【発明が解決しようとする課題】
【０００５】
本発明は、多重化して放送された複数のＣＭの中から視聴者が所望とするＣＭのみを選択的に表示するような場合であっても、各ＣＭ毎に適切な広告料を設定することが可能な広告放送受信システムを提供することを目的とするものである。
【課題を解決するための手段】
【０００６】
本発明による広告放送受信システムは、複数の広告に夫々対応した広告データ片の各々を多重化して放送する放送局からの放送波を受信して前記広告データ片各々の内の１の広告データ片に基づく画像を選択的に表示する放送受信装置を含む広告放送受信システムであって、前記放送受信装置は、前記１の広告データ片に基づく画像表示が終了する度に当該１の広告データ片を示す広告識別コードを含む広告視聴データを生成しこれを送信する手段を含み、前記広告視聴データを受信してこれに応じて、当該広告視聴データ中の前記広告識別コードによって表される広告データ片に対応した視聴総数を１だけ増加することにより前記広告データ片各々毎に前記視聴総数を表す広告視聴数集計データを生成すると共に、広告視聴数集計データ要求に応じて、前記広告視聴数集計データを送信する広告視聴数集計装置を更に備えている。
【０００７】
また、本発明による広告受信システムは、複数の広告に夫々対応した広告データ片の各々を多重化して伝送するコンテンツ配信装置からの送信信号を受信して前記広告データ片各々の内の１の広告データ片に基づく画像を選択的に表示するコンテンツ受信装置を含む広告受信システムであって、前記広告受信システムは、前記１の広告データ片に基づく画像表示が終了する度に当該１の広告データ片を示す広告識別コードを含む広告視聴データを生成しこれを送信する手段を含み、前記広告視聴データを受信してこれに応じて、当該広告視聴データ中の前記広告識別コードによって表される広告データ片に対応した視聴総数を１だけ増加することにより前記広告データ片各々毎に前記視聴総数を表す広告視聴数集計データを生成すると共に、広告視聴数集計データ要求に応じて、前記広告視聴数集計データを送信する広告視聴数集計装置を更に備えている。
【発明の効果】
【０００８】
本発明による広告放送受信システム及び広告受信システムによれば、多重化して放送された複数のＣＭ各々に対して、実際に視聴者側の受信装置において表示の為されたＣＭのみを対象とした視聴総数を知ることができるので、各ＣＭ毎に、視聴数に追従させた適切な広告料を設定することが可能となる。
【発明を実施するための最良の形態】
【０００９】
本発明による広告放送受信システムは、以下の如き放送受信装置と、広告視聴数集計装置とを含むものである。すなわち、放送受信装置は、多重化して放送された複数の広告データ片各々の内の１の広告データ片に基づく画像を選択的に表示すると共に、上記１の広告データ片に基づく画像表示が終了する度に当該１の広告データ片を示す広告識別コードを含む広告視聴データを生成しこれを送信する。広告視聴数集計装置は、かかる広告視聴データを受信してこれ応じて、当該広告視聴データ中の広告識別コードによって表される広告データ片に対応した視聴総数を１だけ増加することにより広告データ片各々毎に視聴総数を表す広告視聴数集計データを生成すると共に、広告視聴数集計データ要求に応じて、この広告視聴数集計データを送信する。
【実施例１】
【００１０】
図１は、本発明による広告放送受信システムの構成を示す図である。
【００１１】
図１に示すように、かかる広告放送受信システムは、夫々がインターネット等からなる情報通信網１に接続されている放送局２、複数の放送受信装置３、及びＣＭ視聴数集計サーバ４から構成される。
【００１２】
放送局２は、各種の番組に対応した音声映像データと、複数の広告主から依頼されたｎ個のＣＭ１〜ＣＭｎ各々に対応した音声映像データと、これらＣＭ１〜ＣＭｎ各々の特徴を示すＣＭ特徴データとを夫々パケット化して多重化したものをマルチチャンネルディジタル放送波により放送する。尚、上記ＣＭ特徴データとは、ＣＭ１〜ＣＭｎ各々毎に、予め規定されている複数の特徴項目、例えば宣伝対象となる商品又はサービスの種別、登場人物の性格、使用される音楽の種別等の項目別にそのＣＭが該当する内容を記述したものである。つまり、ＣＭ特徴データには、ＣＭ１〜ＣＭｎ各々を表すＣＭ識別コードに夫々対応づけして、そのＣＭに対応した上記特徴項目毎の内容を表す情報が記述されているのである。
【００１３】
更に、放送局２は、後述するが如きＣＭ視聴数集計データＣＭＤを要求すべきパケットを情報通信網１を介してＣＭ視聴数集計サーバ４に送信すると共に、情報通信網１を介してＣＭ視聴数集計データＣＭＤに対応したパケットを受信する。尚、図１では放送局２を１つしか示していないが、実際には複数の放送局２が各種の番組を放送している。
【００１４】
放送受信装置３の各々は、図２に示す如き構成を共通に含むものである。
【００１５】
図２において、アンテナ３１は、複数の放送局２から放送されたマルチチャンネルディジタル放送波を受信して得られた受信信号ＲＦをチューナ復調部３２に供給する。チューナ復調部３２は、受信信号ＲＦ中から、ＣＭ嗜好データ入力部３０から供給されたＣＭ嗜好データ（後述する）に基づいて選局した放送局から放送された番組及びＣＭ１〜ＣＭｎ各々に対応した映像音声パケットと、ＣＭ特徴データに対応したパケットとを夫々復調する。そして、チューナ復調部３２は、復調された上記ＣＭ特徴データに対応したパケットをＣＭ特徴パケットＺＰ、上記ＣＭ１〜ＣＭｎ各々に対応した映像音声パケットをＣＭ映像音声パケットＣＰとして、夫々ＣＭ選択部３３に供給する。更に、チューナ復調部３２は、復調された放送番組に対応した映像音声パケットを番組映像音声パケットＢＰとして映像音声デコード部３４に供給する。
【００１６】
ＣＭ嗜好データ入力部３０は、ユーザによるＣＭの嗜好を示す情報の入力を受け付け、その情報に基づき、例えば宣伝対象となる商品又はサービスの種別、登場人物の性格、使用される音楽の種別等の各項目毎に、自身の嗜好に合う内容を表すＣＭ嗜好データを生成する。尚、ＣＭ嗜好データ入力部３０では、ＣＭ嗜好を示す情報の入力を受け付けるにあたり、上記の如きユーザによる直接入力だけではなく、嗜好データをインターネット等で公開されている情報サイトからダウンロードするようにしても良い。或いは、放送受信装置３において過去に選択された番組及び／又は過去にダウンロードされた嗜好データ等から、ユーザの嗜好に関する統計データ等を生成し、この統計データ等に基づいて、ＣＭ嗜好データを生成するようにしても良い。
【００１７】
ＣＭ選択部３３には、ＣＭ嗜好データ入力部３０から供給されたＣＭ嗜好データが記憶されるＣＭ嗜好データメモリ（図示せぬ）が搭載されている。つまり、ＣＭ選択部３３は、ユーザによる上記の如きＣＭ嗜好情報の入力に応じて、ＣＭ嗜好データ入力部３０から供給されたＣＭ嗜好データをＣＭ嗜好データメモリに記憶させるのである。
【００１８】
ここで、ＣＭ選択部３３は、先ず、ＣＭ特徴パケットＺＰによって示される上記ＣＭ１〜ＣＭｎ各々毎の複数の特徴項目と、上記ＣＭ嗜好データによって表される複数の嗜好項目とを比較し、対応する項目同士においてその項目での内容が一致するか否かを各項目毎に判定する。例えば、特徴項目の１つである「宣伝対象となる商品の種別」の内容が「電気製品」であり、ＣＭ嗜好データによる嗜好項目の１つである「宣伝対象となる商品の種別」の内容が「生命保険」である場合には、両者は不一致である。又、特徴項目の１つである「登場人物の性格」の内容が「温厚」であり、ＣＭ嗜好データによる嗜好項目の１つである「登場人物の性格」の内容が「温厚」である場合には、両者は一致している。
【００１９】
次に、ＣＭ選択部３３は、上記ＣＭ１〜ＣＭｎ各々の内で、対応する項目同士の内容が一致する項目数が最も多いＣＭを、ユーザに適した表示許可ＣＭとする。そして、ＣＭ選択部３３は、上記ＣＭ１〜ＣＭｎ各々に対応したＣＭ映像音声パケットＣＰの内から、上記表示許可ＣＭに対応したＣＭ映像音声パケットＣＰのみを選択し、これをＣＭ映像音声パケットＤＰとして映像音声デコード部３４に供給する。更に、ＣＭ選択部３３は、上記表示許可ＣＭを放送した放送局を示す放送局識別コードＡＤ、及び上記表示許可ＣＭに対応したＣＭ識別コードＣＤをＣＭ視聴データ生成部３５に供給する。
【００２０】
映像音声デコード部３４は、上記番組映像音声パケットＢＰ及びＣＭ映像音声パケットＤＰ各々をデコードすることにより、番組又はＣＭに対応した映像及び音声データを生成して映像音声出力部３６に供給する。更に、映像音声デコード部３４は、このＣＭに対応した映像及び音声データに基づき、かかるＣＭの表示時間を表すＣＭ表示期間データＣＴＤを生成し、これをＣＭ視聴データ生成部３５に供給する。
【００２１】
映像音声出力部３６は、映像音声デコード部３４から供給された映像及び音声データを夫々アナログの映像信号及び音声信号に変換し、夫々を所望に増幅する。そして、映像音声出力部３６は、この増幅処理の施された映像信号及び音声信号を表示装置３７に供給する。
【００２２】
表示装置３７は、かかる映像信号に対応した画像を表示すると共に、上記音声信号に対応した音響出力を行う。すなわち、表示装置３７は、映像音声出力部３６から番組に対応した映像信号及び音声信号が供給された場合には、この番組に対応した画像を表示しつつその音声を出力する。一方、ＣＭに対応した映像信号及び音声信号が供給された場合には、表示装置３７は、このＣＭに対応した画像を表示しつつその音声を出力する。
【００２３】
ＣＭ視聴データ生成部３５は、ＣＭ選択部３３から供給されたＣＭ識別コードＣＤ及び放送局識別コードＡＤと、映像音声デコード部３４から供給されたＣＭ表示期間データＣＴＤとを対応づけて表す図３に示す如きＣＭ視聴データＬＬＤを生成し、これをＣＭ視聴データメモリ３８に記憶させる。そして、ＣＭ視聴データ生成部３５は、１のＣＭに対する表示及び音声出力動作が全て終了する度に、ＣＭ視聴データメモリ３８に記憶されているＣＭ視聴データＬＬＤを読み出して、データ送信部３９に供給する。
【００２４】
データ送信部３９は、ＣＭ視聴データ生成部３５からＣＭ視聴データＬＬＤが供給されると、かかるＣＭ視聴データＬＬＤをＩＰ（Internet Protocol）パケット化したものを情報通信網１を介してＣＭ視聴数集計サーバ４に送信する。
【００２５】
以上の如き構成により、放送受信装置３は、各放送局２から放送されたマルチチャンネルディジタル放送波中から、ユーザによって選局された放送局にて放送された番組の表示及び音声出力を行う。更に、放送受信装置３は、ユーザによって選局された放送局から放送された複数のＣＭの内から、ユーザの嗜好に合致したＣＭのみを自動的に選択して表示及び音声出力すると共に、この選択されたＣＭの識別コード、放送局の識別コード及びその表示期間を示すＣＭ視聴データＬＬＤをＣＭ視聴数集計サーバ４に供給する。
【００２６】
図４は、ＣＭ視聴数集計サーバ４の内部構成を示す図である。
【００２７】
図４において、データ受信部４１は、情報通信網１を介してＣＭ視聴データＬＬＤに対応したパケットを受信すると、この受信したパケットからＣＭ視聴データＬＬＤを復調し、これをＣＭ視聴数集計処理部４２に供給する。又、データ受信部４１は、情報通信網１を介して視聴数集計データ要求パケットを受信すると、視聴数集計データ要求信号ＲＱをＣＭ視聴数集計処理部４２に供給する。
【００２８】
ＣＭ視聴数集計処理部４２は、データ受信部４１からＣＭ視聴データＬＬＤが供給される度に、このＣＭ視聴データＬＬＤに基づき、図５に示す如きＣＭ視聴数集計データをＣＭ視聴数集計メモリ４３内において生成すべきＣＭ視聴数集計処理を実行する。
【００２９】
すなわち、ＣＭ視聴数集計処理部４２は、先ず、供給されたＣＭ視聴データＬＬＤにて示されるＣＭ識別コードＣＤに対応した［視聴総数］、［延べ表示期間］及び［放送局名]の各々を記述する為の領域をＣＭ視聴数集計メモリ４３内に確保する。次に、ＣＭ視聴数集計処理部４２は、［放送局名]の領域には、このＣＭ視聴データＬＬＤによって示される放送局識別コードＡＤをそのまま記述し、［延べ表示期間］の領域には、上記ＬＬＤによって示されるＣＭ表示期間データＣＴＤをそのまま記述する。更に、ＣＭ視聴数集計処理部４２は、第１回目の視聴を表す「１」を［視聴総数］の領域に記述する。
【００３０】
ここで、上記ＣＭ視聴データＬＬＤによって示されるＣＭ識別コードＣＤに対応した［視聴総数］、［延べ表示期間］及び［放送局名]が既に記述済みである場合、ＣＭ視聴数集計処理部４２は、［視聴総数］の領域に記述されている値を「１」だけインクリメントする。更に、この際、ＣＭ視聴数集計処理部４２は、［延べ表示期間］の領域に記述されている時間に、上記ＬＬＤにて示されるＣＭ表示期間データＣＴＤを加算して得られた時間を新たな延べ表示期間として［延べ表示期間］の領域に上書きする。
【００３１】
このようなＣＭ視聴数集計処理によれば、各放送局２において多重化して放送された複数のＣＭ各々毎に、そのＣＭが実際に放送受信装置３によって表示（音声出力）された場合での視聴総数及び延べ表示期間が集計され、これが図５に示す如きＣＭ視聴数集計データとして生成される。
【００３２】
又、ＣＭ視聴数集計処理部４２は、データ受信部４１から視聴数集計データ要求信号ＲＱが供給されると、図５に示す如くＣＭ視聴数集計メモリ４３に記憶されているＣＭ視聴数集計データ中から、上記視聴数集計データ要求信号ＲＱの送信元の放送局２に対応したものだけを抽出し、これをＣＭ視聴数集計データＣＭＤとしてデータ送信部４４に供給する。
【００３３】
データ送信部４４は、かかるＣＭ視聴数集計データＣＭＤをＩＰパケット化したものを情報通信網１を介して、上記視聴数集計データ要求信号ＲＱの送信元の放送局２に送信する。
【００３４】
以下に、上記放送局２、放送受信装置３、及びＣＭ視聴数集計サーバ４による一連の通信動作について、図６に示される通信フローに沿って説明する。尚、図６に示される一例は、２つの放送受信装置３１及び３２において夫々ＣＭの視聴が為された場合に為される通信動作を示すものである。
【００３５】
先ず、放送受信装置３１において所望の放送局２が選局されると、放送受信装置３１は、この放送局２から放送された複数のＣＭの内からユーザの嗜好に合致したＣＭを選択し、このＣＭに対応した表示及び音声出力を行う（ステップＳ３１）。そして、放送受信装置３１は、上記の如き表示及び音声出力の為されたＣＭの識別コード、かかるＣＭの表示期間、このＣＭを放送した放送局の識別コードを夫々示す図３に示す如きＣＭ視聴データＬＬＤを、ＣＭ視聴数集計サーバ４に送信する（ステップＳ３２）。
【００３６】
かかるＣＭ視聴データＬＬＤの受信に応じて、ＣＭ視聴数集計サーバ４は、上記の如きＣＭ視聴集計処理を実行する（ステップＳ４１）。つまり、ＣＭ視聴数集計サーバ４は、図５に示す如きＣＭ視聴数集計データ中において、このＣＭ視聴データＬＬＤによって示されるＣＭ識別コードに対応した［視聴総数］の領域に記述されている値を「１」だけインクリメントする。更に、ＣＭ視聴数集計サーバ４は、図５に示す如きＣＭ視聴数集計データ中において、このＣＭ視聴データＬＬＤによって示されるＣＭ識別コードに対応した[延べ表示期間]の領域に記述されている時間に、上記ＬＬＤにて示されるＣＭ表示期間データＣＴＤを加算した時間を新たな延べ表示期間として［延べ表示期間］の領域に上書きする。
【００３７】
又、放送受信装置３２において所望の放送局２が選局されると、放送受信装置３２は、この放送局２から放送された複数のＣＭの内からユーザの嗜好に合致したＣＭを選択し、このＣＭに対応した表示及び音声出力を行う（ステップＳ３３）。そして、放送受信装置３２は、上記の如き表示及び音声出力の為されたＣＭの識別コード、かかるＣＭの表示期間、このＣＭを放送した放送局の識別コードを夫々示す図３に示す如きＣＭ視聴データＬＬＤを、ＣＭ視聴数集計サーバ４に送信する（ステップＳ３４）。
【００３８】
かかるＣＭ視聴データＬＬＤの受信に応じて、ＣＭ視聴数集計サーバ４は、上記の如きＣＭ視聴集計処理を実行する（ステップＳ４２）。つまり、ＣＭ視聴数集計サーバ４は、図５に示す如きＣＭ視聴数集計データ中において、このＣＭ視聴データＬＬＤによって示されるＣＭ識別コードに対応した［視聴総数］の領域に記述されている値を「１」だけインクリメントする。更に、ＣＭ視聴数集計サーバ４は、図５に示す如きＣＭ視聴数集計データ中において、このＣＭ視聴データＬＬＤによって示されるＣＭ識別コードに対応した[延べ表示期間]の領域に記述されている時間に、上記ＬＬＤにて示されるＣＭ表示期間データＣＴＤを加算した時間を新たな延べ表示期間として［延べ表示期間］の領域に上書きする。  
【００３９】
ここで、放送局２が、ＣＭ視聴数集計データを要求すべき視聴数集計データ要求信号ＲＱをＣＭ視聴数集計サーバ４に送信する（ステップＳ２１）。ＣＭ視聴数集計サーバ４は、かかる視聴数集計データ要求信号ＲＱに応じて、現時点までに生成された図５に示す如きＣＭ視聴数集計データ中から、上記視聴数集計データ要求信号ＲＱの送信元の放送局２に対応したものだけを抽出し、これをＣＭ視聴数集計データＣＭＤとして、この放送局２に送信する（ステップＳ４３）。
【００４０】
よって、かかるＣＭ視聴数集計データＣＭＤによれば、放送局２から多重化して放送された複数のＣＭ各々に対して、ユーザ側の放送受信装置３において実際に表示（音声出力）されたＣＭのみを対象とした視聴者総数を知ることができる。これにより、マルチチャンネル放送によって多重化して同時放送された複数のＣＭの内から、視聴者が所望とするＣＭのみを選択的に表示するようなＣＭ放送受信方法を採用した場合であっても、各ＣＭ毎に、実際の視聴数に追従させた適切な広告料を設定することが可能となる。
【００４１】
尚、上記実施例１において、ＣＭ視聴データＬＬＤの伝送、視聴数集計データ要求信号ＲＱの伝送、ＣＭ視聴数集計データＣＭＤの伝送を担う情報通信網１としては、前述した如きインターネットのみならず、モバイル通信や衛星通信等のデジタル通信回線や電話回線等のアナログ通信回線を採用しても良い。その際、放送受信装置３のデータ送信部３９は、ＣＭ視聴データ生成部３５からＣＭ視聴データＬＬＤが供給されると、かかるＣＭ視聴データＬＬＤを、デジタル通信回線やアナログ通信回線などからなる情報通信網を介して、ＣＭ視聴数集計サーバ４に送信する。また、放送局２は、デジタル通信回線やアナログ通信回線などからなる情報通信網を介して、ＣＭ視聴数集計データを要求すべき視聴数集計データ要求信号ＲＱをＣＭ視聴数集計サーバ４に送信する。ＣＭ視聴数集計サーバ４は、デジタル通信回線やアナログ通信回線などからなる情報通信網を介して、かかる視聴数集計データ要求信号ＲＱに応じて、現時点までに生成されたＣＭ視聴数集計データ中から、視聴数集計データ要求信号ＲＱの送信元の放送局２に対応したものだけを抽出し、これをＣＭ視聴数集計データＣＭＤとして、この放送局２に送信する。
【実施例２】
【００４２】
図７は、本発明による広告受信システムの構成を示す図である。
【００４３】
図７に示すように、かかる広告受信システムは、夫々がインターネット等からなる情報通信網１に接続されているコンテンツ配信サーバ１０２、複数のコンテンツ受信装置１０３、及びＣＭ視聴数集計サーバ４から構成される。
【００４４】
コンテンツ配信サーバ１０２は、各種の情報サービスに対応したコンテンツと、複数の広告主から依頼されたｎ個のＣＭ１〜ＣＭｎ各々に対応したＣＭデータ（ＣＭデータの一例は、音声映像データ、映像データ、音声データ、文字データなど）と、これらＣＭ１〜ＣＭｎ各々の特徴を示すＣＭ特徴データとを夫々パケット化して多重化したものを配信する（図７では、無線回線を介して配信される一例が示されている。）。尚、上記ＣＭ特徴データとは、ＣＭ１〜ＣＭｎ各々毎に、予め規定されている複数の特徴項目、例えば宣伝対象となる商品又はサービスの種別、登場人物の性格、使用される音楽の種別等の項目別にそのＣＭが該当する内容を記述したものである。つまり、ＣＭ特徴データには、ＣＭ１〜ＣＭｎ各々を表すＣＭ識別コードに夫々対応づけして、そのＣＭに対応した上記特徴項目毎の内容を表す情報が記述されているのである。また、各種の情報サービスに対応したコンテンツとは、Ｗｅｂ（World Wide Web）動画配信、音声配信、文字配信等のビデオオンデマンド形式にて配信される例えば、映画、音楽、又は文字データによるお天気ガイド等である。
【００４５】
更に、コンテンツ配信サーバ１０２は、後述するが如きＣＭ視聴数集計データＣＭＤを要求すべきパケットを情報通信網１を介してＣＭ視聴数集計サーバ４に送信すると共に、情報通信網１を介してＣＭ視聴数集計データＣＭＤに対応したパケットを受信する。尚、図７ではコンテンツ配信サーバ１０２を１つしか示していないが、実際には複数のコンテンツ配信サーバ１０２が各種の情報サービスに対応したコンテンツを配信している。
【００４６】
コンテンツ受信装置１０３の各々は、図８に示す如き構成を共通に含むものである。コンテンツ受信装置１０３の一構成例は、パーソナルコンピュータなどである。
【００４７】
図８において、アンテナ３１は、複数のコンテンツ配信サーバ１０２から配信されるコンテンツを含むパケットを、無線回線を介して受信する。アンテナ３１は、無線回線を介して受信した無線信号より得られた受信信号ＲＦを、ＲＦ受信部１３１に供給する。ＲＦ受信部１３１は、複数のコンテンツ配信サーバ１０２から送信されたコンテンツを含むパケットを受信して得られた受信パケットをコンテンツ受信部１３２に供給する。コンテンツパケット抽出部１３２は、受信パケット中から、ＣＭ嗜好データ入力部１３０から供給されたＣＭ嗜好データに基づいて選択したコンテンツ配信サーバから送信されたコンテンツのパケット及びＣＭ１〜ＣＭｎ各々に対応したＣＭパケットと、ＣＭ特徴データに対応したパケットとを夫々復調する。そして、コンテンツパケット抽出部１３２は、復調された上記ＣＭ特徴データに対応したパケットをＣＭ特徴パケットＺＰ、上記ＣＭ１〜ＣＭｎ各々に対応したＣＭデータをＣＭパケットＣＰとして、夫々ＣＭ選択部３３に供給する。更に、コンテンツパケット抽出部１３２は、抽出されたコンテンツに対応したコンテンツのパケットをコンテンツパケットＢＰとして映像音声文字デコード部１３４に供給する。
【００４８】
ＣＭ嗜好データ入力部１３０は、ユーザによるＣＭの嗜好を示す情報の入力を受け付け、その情報に基づき、例えば宣伝対象となる商品又はサービスの種別、登場人物の性格、使用される音楽の種別等の各項目毎に、自身の嗜好に合う内容を表すＣＭ嗜好データを生成する。尚、ＣＭ嗜好データ入力部１３０では、ＣＭ嗜好を示す情報の入力を受け付けるにあたり、上記の如きユーザによる直接入力だけではなく、嗜好データをインターネット等で公開されている情報サイトからダウンロードするようにしても良い。或いは、コンテンツ受信装置１０３において過去に選択されたコンテンツ及び／又は過去にダウンロードされた嗜好データ等から、ユーザの嗜好に関する統計データ等を生成し、この統計データ等に基づいて、ＣＭ嗜好データを生成するようにしても良い。
【００４９】
ＣＭ選択部１３３には、ＣＭ嗜好データ入力部１３０から供給されたＣＭ嗜好データが記憶されるＣＭ嗜好データメモリ（図示せぬ）が搭載されている。つまり、ＣＭ選択部１３３は、ユーザによる上記の如きＣＭ嗜好情報の入力に応じて、ＣＭ嗜好データ入力部１３０から供給されたＣＭ嗜好データをＣＭ嗜好データメモリに記憶させるのである。
【００５０】
ここで、ＣＭ選択部１３３は、先ず、ＣＭ特徴パケットＺＰによって示される上記ＣＭ１〜ＣＭｎ各々毎の複数の特徴項目と、上記ＣＭ嗜好データによって表される複数の嗜好項目とを比較し、対応する項目同士においてその項目での内容が一致するか否かを各項目毎に判定する。例えば、特徴項目の１つである「宣伝対象となる商品の種別」の内容が「電気製品」であり、ＣＭ嗜好データによる嗜好項目の１つである「宣伝対象となる商品の種別」の内容が「生命保険」である場合には、両者は不一致である。又、特徴項目の１つである「登場人物の性格」の内容が「温厚」であり、ＣＭ嗜好データによる嗜好項目の１つである「登場人物の性格」の内容が「温厚」である場合には、両者は一致している。
【００５１】
次に、ＣＭ選択部１３３は、上記ＣＭ１〜ＣＭｎ各々の内で、対応する項目同士の内容が一致する項目数が最も多いＣＭを、ユーザに適した表示許可ＣＭとする。そして、ＣＭ選択部１３３は、上記ＣＭ１〜ＣＭｎ各々に対応したＣＭパケットＣＰの内から、上記表示許可ＣＭに対応したＣＭパケットＣＰのみを選択し、これをＣＭパケットＤＰとして映像音声文字デコード部１３４に供給する。更に、ＣＭ選択部１３３は、上記表示許可ＣＭを配信したサーバを示すサーバ識別コードＡＤ、及び上記表示許可ＣＭに対応したＣＭ識別コードＣＤをＣＭ視聴データ生成部３５に供給する。
【００５２】
映像音声文字デコード部１３４は、上記コンテンツパケットＢＰ及びＣＭパケットＤＰ各々をデコードすることにより、コンテンツ又はＣＭに対応した映像及び音声データ（または、映像データ、音声データ、文字データ、映像データと文字データ、音声データと文字データ、映像データと音声データと文字データ）を生成して映像音声文字出力部１３６に供給する。更に、映像音声文字デコード部１３４は、このＣＭに対応した映像及び音声データ（または、映像データ、音声データ、文字データ、映像データと文字データ、音声データと文字データ、映像データと音声データと文字データ）に基づき、かかるＣＭの表示時間を表すＣＭ表示期間データＣＴＤを生成し、これをＣＭ視聴データ生成部１３５に供給する。
【００５３】
映像音声文字出力部１３６は、映像音声文字デコード部１３４から供給された映像及び音声データ（または、映像データ、音声データ、文字データ、映像データと文字データ、音声データと文字データ、映像データと音声データと文字データ）を夫々アナログ（またはディジタル）の映像信号及び音声信号（または、映像信号、音声信号、文字信号、映像信号と文字信号、音声信号と文字信号、映像信号と音声信号と文字信号）に変換し、夫々を所望に信号レベルとする。そして、映像音声文字出力部１３６は、この増幅処理の施された映像信号及び音声信号（または、映像信号、音声信号、文字信号、映像信号と文字信号、音声信号と文字信号、映像信号と音声信号と文字信号）を表示装置１３７に供給する。
【００５４】
表示装置１３７は、かかる映像信号に対応した画像を表示、かかる文字信号に対応した文字を表示すると共に、上記音声信号に対応した音響出力を行う。すなわち、表示装置１３７は、映像音声文字出力部１３６からコンテンツに対応した映像信号及び音声信号（または、映像信号、音声信号、文字信号、映像信号と文字信号、音声信号と文字信号、映像信号と音声信号と文字信号）が供給された場合には、このコンテンツに対応した画像を表示しつつその音声を出力する（または、映像、音声、文字、映像と文字、音声と文字、映像と音声と文字）。一方、ＣＭに対応した映像信号及び音声信号（または、映像信号、音声信号、文字信号、映像信号と文字信号、音声信号と文字信号、映像信号と音声信号と文字信号）が供給された場合には、表示装置１３７は、このＣＭに対応した画像を表示しつつその音声（または、映像、音声、文字、映像と文字、音声と文字、映像と音声と文字）を出力する。
【００５５】
ＣＭ視聴データ生成部１３５は、ＣＭ選択部１３３から供給されたＣＭ識別コードＣＤ及びサーバ識別コードＡＤと、映像音声文字デコード部１３４から供給されたＣＭ表示期間データＣＴＤとを対応づけて表す図９に示す如きＣＭ視聴データＬＬＤを生成し、これをＣＭ視聴データメモリ１３８に記憶させる。そして、ＣＭ視聴データ生成部１３５は、１のＣＭに対する表示及び音声出力動作が全て終了する度に、ＣＭ視聴データメモリ１３８に記憶されているＣＭ視聴データＬＬＤを読み出して、データ送信部１３９に供給する。
【００５６】
データ送信部１３９は、ＣＭ視聴データ生成部１３５からＣＭ視聴データＬＬＤが供給されると、かかるＣＭ視聴データＬＬＤをＩＰ（Internet Protocol）パケット化したものを情報通信網１を介してＣＭ視聴数集計サーバ１０４に送信する。
【００５７】
以上の如き構成により、コンテンツ受信装置１０３は、各コンテンツ配信サーバ１０２から配信されたパケット中から、ユーザによって選択されたサーバにて配信されたコンテンツの表示及び音声出力（コンテンツの表示、または音声出力）を行う。更に、コンテンツ受信装置１０３は、ユーザによって選択されたサーバから配信された複数のＣＭの内から、ユーザの嗜好に合致したＣＭのみを自動的に選択して表示及び音声出力（表示または音声出力）すると共に、この選択されたＣＭの識別コード、サーバの識別コード及びその表示期間を示すＣＭ視聴データＬＬＤをＣＭ視聴数集計サーバ４に供給する。
【００５８】
図１０は、ＣＭ視聴数集計サーバ１０４の内部構成を示す図である。
【００５９】
図１０において、データ受信部１４１は、情報通信網１を介してＣＭ視聴データＬＬＤに対応したパケットを受信すると、この受信したパケットからＣＭ視聴データＬＬＤを復調し、これをＣＭ視聴数集計処理部１４２に供給する。又、データ受信部１４１は、情報通信網１を介して視聴数集計データ要求パケットを受信すると、視聴数集計データ要求信号ＲＱをＣＭ視聴数集計処理部１４２に供給する。
【００６０】
ＣＭ視聴数集計処理部１４２は、データ受信部１４１からＣＭ視聴データＬＬＤが供給される度に、このＣＭ視聴データＬＬＤに基づき、図１１に示す如きＣＭ視聴数集計データをＣＭ視聴数集計メモリ１４３内において生成すべきＣＭ視聴数集計処理を実行する。
【００６１】
すなわち、ＣＭ視聴数集計処理部１４２は、先ず、供給されたＣＭ視聴データＬＬＤにて示されるＣＭ識別コードＣＤに対応した［視聴総数］、［延べ表示期間］及び［サーバ名]の各々を記述する為の領域をＣＭ視聴数集計メモリ１４３内に確保する。次に、ＣＭ視聴数集計処理部１４２は、［サーバ名]の領域には、このＣＭ視聴データＬＬＤによって示されるサーバ識別コードＡＤをそのまま記述し、［延べ表示期間］の領域には、上記ＬＬＤによって示されるＣＭ表示期間データＣＴＤをそのまま記述する。更に、ＣＭ視聴数集計処理部１４２は、第１回目の視聴を表す「１」を［視聴総数］の領域に記述する。
【００６２】
ここで、上記ＣＭ視聴データＬＬＤによって示されるＣＭ識別コードＣＤに対応した［視聴総数］、［延べ表示期間］及び［サーバ名]が既に記述済みである場合、ＣＭ視聴数集計処理部１４２は、［視聴総数］の領域に記述されている値を「１」だけインクリメントする。更に、この際、ＣＭ視聴数集計処理部１４２は、［延べ表示期間］の領域に記述されている時間に、上記ＬＬＤにて示されるＣＭ表示期間データＣＴＤを加算して得られた時間を新たな延べ表示期間として［延べ表示期間］の領域に上書きする。
【００６３】
このようなＣＭ視聴数集計処理によれば、各コンテンツ配信サーバ１０２において多重化して放送された複数のＣＭ各々毎に、そのＣＭが実際にコンテンツ受信装置１０３によって表示（音声出力）された場合での視聴総数及び延べ表示期間が集計され、これが図５に示す如きＣＭ視聴数集計データとして生成される。
【００６４】
又、ＣＭ視聴数集計処理部１４２は、データ受信部１４１から視聴数集計データ要求信号ＲＱが供給されると、図１１に示す如くＣＭ視聴数集計メモリ１４３に記憶されているＣＭ視聴数集計データ中から、上記視聴数集計データ要求信号ＲＱの送信元のコンテンツ配信サーバ１０２に対応したものだけを抽出し、これをＣＭ視聴数集計データＣＭＤとしてデータ送信部１４４に供給する。
【００６５】
データ送信部１４４は、かかるＣＭ視聴数集計データＣＭＤをＩＰパケット化したものを情報通信網１を介して、上記視聴数集計データ要求信号ＲＱの送信元のコンテンツ配信サーバ１０２に送信する。
【００６６】
以下に、上記コンテンツ配信サーバ１０２、コンテンツ受信装置１０３、及びＣＭ視聴数集計サーバ１０４による一連の通信動作について、図１２に示される通信フローに沿って説明する。尚、図１２に示される一例は、２つのコンテンツ受信装置１０３１及びコンテンツ受信装置１０３２において夫々ＣＭの視聴が為された場合に為される通信動作を示すものである。
【００６７】
先ず、コンテンツ受信装置１０３１において所望のコンテンツ配信サーバ１０２が選局されると、コンテンツ受信装置１０３１は、このコンテンツ配信サーバ１０２から配信された複数のＣＭの内からユーザの嗜好に合致したＣＭを選択し、このＣＭに対応した表示及び音声出力（表示、または音声出力）を行う（ステップＳ１３１）。そして、コンテンツ受信装置１０３１は、上記の如き表示及び音声出力（表示、または音声出力）の為されたＣＭの識別コード、かかるＣＭの表示期間、このＣＭを配信したサーバの識別コードを夫々示す図９に示す如きＣＭ視聴データＬＬＤを、ＣＭ視聴数集計サーバ１０４に送信する（ステップＳ１３２）。
【００６８】
かかるＣＭ視聴データＬＬＤの受信に応じて、ＣＭ視聴数集計サーバ１０４は、上記の如きＣＭ視聴集計処理を実行する（ステップＳ１４１）。つまり、ＣＭ視聴数集計サーバ１０４は、図１１に示す如きＣＭ視聴数集計データ中において、このＣＭ視聴データＬＬＤによって示されるＣＭ識別コードに対応した［視聴総数］の領域に記述されている値を「１」だけインクリメントする。更に、ＣＭ視聴数集計サーバ１０４は、図１１に示す如きＣＭ視聴数集計データ中において、このＣＭ視聴データＬＬＤによって示されるＣＭ識別コードに対応した[延べ表示期間]の領域に記述されている時間に、上記ＬＬＤにて示されるＣＭ表示期間データＣＴＤを加算した時間を新たな延べ表示期間として［延べ表示期間］の領域に上書きする。
【００６９】
又、コンテンツ受信装置１０３２において所望のコンテンツ配信サーバ１０２が選択されると、コンテンツ受信装置１０３２は、このコンテンツ配信サーバ１０２から配信された複数のＣＭの内からユーザの嗜好に合致したＣＭを選択し、このＣＭに対応した表示及び音声出力（表示、または音声出力）を行う（ステップＳ１３３）。そして、コンテンツ受信装置１０３２は、上記の如き表示及び音声出力（表示、または音声出力）の為されたＣＭの識別コード、かかるＣＭの表示期間、このＣＭを配信したサーバの識別コードを夫々示す図９に示す如きＣＭ視聴データＬＬＤを、ＣＭ視聴数集計サーバ１０４に送信する（ステップＳ１３４）。
【００７０】
かかるＣＭ視聴データＬＬＤの受信に応じて、ＣＭ視聴数集計サーバ１０４は、上記の如きＣＭ視聴集計処理を実行する（ステップＳ１４２）。つまり、ＣＭ視聴数集計サーバ１０４は、図１１に示す如きＣＭ視聴数集計データ中において、このＣＭ視聴データＬＬＤによって示されるＣＭ識別コードに対応した［視聴総数］の領域に記述されている値を「１」だけインクリメントする。更に、ＣＭ視聴数集計サーバ１０４は、図１１に示す如きＣＭ視聴数集計データ中において、このＣＭ視聴データＬＬＤによって示されるＣＭ識別コードに対応した[延べ表示期間]の領域に記述されている時間に、上記ＬＬＤにて示されるＣＭ表示期間データＣＴＤを加算した時間を新たな延べ表示期間として［延べ表示期間］の領域に上書きする。  
【００７１】
ここで、コンテンツ配信サーバ１０２が、ＣＭ視聴数集計データを要求すべき視聴数集計データ要求信号ＲＱをＣＭ視聴数集計サーバ１０４に送信する（ステップＳ１２１）。ＣＭ視聴数集計サーバ１０４は、かかる視聴数集計データ要求信号ＲＱに応じて、現時点までに生成された図１１に示す如きＣＭ視聴数集計データ中から、上記視聴数集計データ要求信号ＲＱの送信元のコンテンツ配信サーバ１０２に対応したものだけを抽出し、これをＣＭ視聴数集計データＣＭＤとして、このコンテンツ配信サーバ１０２に送信する（ステップＳ１４３）。
【００７２】
よって、かかるＣＭ視聴数集計データＣＭＤによれば、コンテンツ配信サーバ１０２から多重化して放送された複数のＣＭ各々に対して、ユーザ側のコンテンツ受信装置１０３において実際に表示（音声出力）されたＣＭのみを対象とした視聴者総数を知ることができる。これにより、同時配信された複数のＣＭの内から、視聴者が所望とするＣＭのみを選択的に表示するようなＣＭ受信方法を採用した場合であっても、各ＣＭ毎に、実際の視聴数に追従させた適切な広告料を設定することが可能となる。
【００７３】
尚、上記実施例２において、ＣＭ視聴データＬＬＤの伝送、視聴数集計データ要求信号ＲＱの伝送、ＣＭ視聴数集計データＣＭＤの伝送を担う情報通信網１としては、前述した如きインターネットのみならず、モバイル通信や衛星通信等のデジタル通信回線や電話回線等のアナログ通信回線を採用しても良い。その際、コンテンツ受信装置１０３のデータ送信部１３９は、ＣＭ視聴データ生成部１３５からＣＭ視聴データＬＬＤが供給されると、かかるＣＭ視聴データＬＬＤを、デジタル通信回線やアナログ通信回線等からなる情報通信網を介して、ＣＭ視聴数集計サーバ１０４に送信する。また、コンテンツ配信サーバ１０２は、デジタル通信回線やアナログ通信回線などからなる情報通信網を介して、ＣＭ視聴数集計データを要求すべき視聴数集計データ要求信号ＲＱをＣＭ視聴数集計サーバ１０４に送信する。ＣＭ視聴数集計サーバ１０４は、デジタル通信回線やアナログ通信回線などからなる情報通信網を介して、かかる視聴数集計データ要求信号ＲＱに応じて、現時点までに生成されたＣＭ視聴数集計データ中から、視聴数集計データ要求信号ＲＱの送信元のコンテンツ配信サーバ１０２に対応したものだけを抽出し、これをＣＭ視聴数集計データＣＭＤとして、このコンテンツ配信サーバ１０２に送信する。
【図面の簡単な説明】
【００７４】
【図１】本発明による広告放送受信システムの構成を示す図である。
【図２】図１に示される放送受信装置３の内部構成を示す図である。
【図３】図２のＣＭ視聴データ生成部３５において生成されるＣＭ視聴データＬＬＤのフォーマットを示す図である。
【図４】図１に示されるＣＭ視聴数集計サーバ４の内部構成を示す図である。
【図５】図４に示されるＣＭ視聴数集計処理部４２において生成されるＣＭ視聴数集計データのフォーマットの一例を示す図である。
【図６】図１に示される広告放送受信システムによる通信動作の一例を示す図である。
【図７】本発明による広告受信システムの構成を示す図である。
【図８】図７に示されるコンテンツ受信装置１０３の内部構成を示す図である。
【図９】図８のＣＭ視聴データ生成部３５において生成されるＣＭ視聴データＬＬＤのフォーマットを示す図である。
【図１０】図７に示されるＣＭ視聴数集計サーバ４の内部構成を示す図である。
【図１１】図１０に示されるＣＭ視聴数集計処理部４２において生成されるＣＭ視聴数集計データのフォーマットの一例を示す図である。
【図１２】図７に示される広告受信システムによる通信動作の一例を示す図である。
【符号の説明】
【００７５】
３          放送受信装置
４          ＣＭ視聴数集計サーバ
３３        ＣＭ選択部
３５        ＣＭ視聴データ生成部
４２        ＣＭ視聴数集計処理部
【図１】
2009231873.tif 000003
【図２】
2009231873.tif 000004
【図３】
2009231873.tif 000005
【図４】
2009231873.tif 000006
【図５】
2009231873.tif 000007
【図６】
2009231873.tif 000008
【図７】
2009231873.tif 000009
【図８】
2009231873.tif 000010
【図９】
2009231873.tif 000011
【図１０】
2009231873.tif 000012
【図１１】
2009231873.tif 000013
【図１２】
2009231873.tif 000014